(57)【要約】      （修正有）【課題】使用者が自由に銃身内部の空間を変えることで、弾道ルートを変えることが可能な銃身構造を提供する。【解決手段】本銃身構造は、主に、銃本体１内に設けられるとともに、銃身モジュール１０を備える。前記銃身モジュールは、銃身と、前記銃身に結合される本体とを備える。また、銃身は第一孔部を形成し、第一孔部には第一支持部材が設けられ、本体は第一孔部に対応する第二孔部を備え、第二孔部には第二支持部材が設けられ、第二支持部材には調整片が当接し、調整片は、調整バーと、該調整バーに噛み合う緩衝部材とに当接する。銃本体に形成するスライド孔内には、緩衝部材と連動して作動する調整部材が設けられる。【選択図】図１
0003174502.tif 000002
【実用新案登録請求の範囲】
【請求項１】
銃本体内に設けられる銃身構造であって、
前記銃身構造は銃身モジュールを備え、前記銃本体はスライド孔を形成し、
前記銃身モジュールは、銃身と、前記銃身に結合される本体と、前記本体に設けられた第二支持部材に当接する調整片と、前記本体に設けられるとともに調整片の両端に形成する位置決め部に当接する調整バーと、前記本体に設けられるとともに調整バーに形成される複数の歯部に噛み合わされる緩衝部材と、前記スライド孔にスライド可能に設けられる調整部材とからなり、
前記銃身は第一孔部を形成し、前記第一孔部には第一支持部材が設けられ、
前記本体は，前記第一孔部に対応する第二孔部を形成し、前記第二孔部には、前記第一支持部材に対応する第二支持部材が設けられ、
前記調整部材は、前記緩衝部材と相互に連動して作動することを特徴とする、銃身構造。
【請求項２】
前記銃本体は、更に、前記銃身モジュールに連動して作動する弾倉装置を備えることを特徴とする、請求項１に記載の銃身構造。
【請求項３】
前記第二支持部材は、前記第二孔部にスライド可能に設けられるプッシュ部材と、前記プッシュ部材に当接する弾性部材とを備えることを特徴とする、請求項１に記載の銃身構造。
【請求項４】
前記プッシュ部材はスチールボールであることを特徴とする、請求項３に記載の銃身構造。
【請求項５】
前記弾性部材はバネであることを特徴とする、請求項３に記載の銃身構造。
【請求項６】
前記緩衝部材は、前記調整バーと前記調整部材の間に配置され、前記調整バーと前記調整部材と連動して作動することを特徴とする、請求項１に記載の銃身構造。
【考案の詳細な説明】
【技術分野】
【０００１】
本考案は銃身構造に関し、特に使用者が自由に銃身の空間を調整して、弾道のルートを変えることができる銃身構造に関する。
【背景技術】
【０００２】
一般的な銃の構造は、銃弾が銃口から発射された後の飛行の安定性と正確性を向上させるために、銃身内壁に螺旋状の旋条を設ける。それにより、銃弾が旋条内で動く時、旋条によって弾丸は高速回転し、それにより、弾軸と弾道接線を小さい揺動角度範囲内で終始維持することができる。従って、旋条構造をもつ銃身は銃弾の射程距離を増やすことができるとともに、銃弾の安定的な飛行を確保して正確にターゲットを射抜くことができる。
【０００３】
玩具の銃の発射構造は、本物の銃にかなり近いが、ゲーム用の玩具の銃は、銃身が旋条構造を備えていない。
【０００４】
従って、一般的に市場に流通している玩具の銃が発射する弾道は、ほぼ同じであり、プレイヤーのゲームの際の楽しみを向上させることができない。
【考案の概要】
【考案が解決しようとする課題】
【０００５】
本考案は、使用者が自由に銃身内部の空間を変えることで、弾道ルートを変えることが可能な銃身構造を提供することを目的とする。
【課題を解決するための手段】
【０００６】
上述の目的を達するために、本考案の銃身構造は、主に、銃本体内に設けられるとともに、銃身モジュールを備える。前記銃本体はスライド孔を形成する。その内、前記銃身モジュールは、銃身と、前記銃身に結合される本体とを備える。また、銃身は第一孔部を形成し、第一孔部には第一支持部材が設けられ、本体は第一孔部に対応する第二孔部を備え、第二孔部には前記第一支持部材に対応する第二支持部材が設けられ、第二支持部材には調整片が当接し、調整片は、調整バーと相互に当接する。前記調整バーは、緩衝部材と相互に噛み合い、前記緩衝部材は、調整部材に連動して作動する。また、前記銃本体は、更に、前記銃身モジュールに連動して作動する弾倉装置を備える。その内、前記第二支持部材は、前記第二孔部にスライド可能に設けられるプッシュ部材（スチールボール）と、前記プッシュ部材に当接する弾性部材（バネ）とからなる。
【考案の効果】
【０００７】
上述の構造により、使用者が調整部材を所定の方向へスライドさせて銃本体から露出させると、調整部材が緩衝部材と相互に噛み合う。そして、使用者が調整部材を回転させた時、緩衝部材及び緩衝部材に噛み合った調整バーが連動し、それと同時に調整バーに当接した調整片が上下に移動する。それにより、銃身空間を変化させ彈道ルートを変えることができる。
【図面の簡単な説明】
【０００８】
【図１】本考案による好ましい実施例の斜視図である。
【図２】本考案による好ましい実施例の分解図である。
【図３】本考案による好ましい実施例の説明図１である。
【図４】本考案による好ましい実施例の説明図２である。
【図５】本考案による好ましい実施例の説明図３である。
【図６】本考案による好ましい実施例の説明図４である。
【考案を実施するための形態】
【０００９】
図１と図２を参照する。図１は、本考案による好ましい実施例の斜視図と分解図である。図から分かるように、本考案の銃身構造は、主に、銃本体１内に設けられる。本考案の銃身構造は銃身モジュール１０からなり、銃本体１はスライド孔１１を形成する。その内、銃身モジュール１０は、銃身１０１と、銃身１０１に結合される本体１０２とからなり、銃身１０１には第一孔部１０１０が形成され、第一孔部１０１０には第一支持部材１０１１が設けられ、本体１０２は、第一孔部１０１０に対応する第二孔部１０２０を形成し、第二孔部１０２０には、第一支持部材１０１１に対応する第二支持部材１０２１が設けられ、第二支持部材１０２１には調整片１０３が当接し、調整片１０３は、調整バー１０４と相互に当接する。調整バー１０４は、緩衝部材１０５と相互に噛み合い、緩衝部材１０５は、調整部材１０６に連動して作動する。また、銃本体１は、更に、銃身モジュール１０と連動して作動する弾倉装置２０を備える。その内、第二支持部材１０２１は、第二孔部１０２０にスライド可能に設けられるプッシュ部材１０２１２（スチールボール）と、プッシュ部材１０２１２（スチールボール）に当接する弾性部材１０２１３（バネ）とからなる。
【００１０】
上述の構造、組合せ、設計による本考案を使用した時の動作状況について以下に説明を行う。図３、図４、図５、図６を参照する。図３から図６は、本考案による好ましい実施例の説明図１から４である。図から分かるように、調整部材１０６が銃本体１のスライド孔１１内に設けられる。操作する人が本考案を使用すると、弾倉装置２０が作動し玩具の弾丸が銃身１０１内に配置される。そして、操作する人が調整部材１０６を所定の方向（右方向）へ動かすと、調整部材１０６と緩衝部材１０５が相互に噛み合うと同時に銃本体１から突出する。この時、操作する人が、銃本体１から露出した調整部材１０６を回転させることによって緩衝部材１０５及び緩衝部材１０５に噛み合わされた調整バー１０４を連動させる。そして、調整バー１０４と相互に当接した調整片１０３が上下に移動し、調整片１０３と相互に当接した第二支持部材１０２１が、第一支持部材１０１１と相互に当接する。なお、第二支持部材１０２１は、第二孔部１０２０にスライド可能に設けられるプッシュ部材１０２１２と、プッシュ部材１０２１２に当接する弾性部材１０２１３とからなる。それにより、調整片１０３が上下に移動すると、弾性部材１０２１３（バネ）がプッシュ部材１０２１２（スチールボール）に当接することにより、プッシュ部材１０２１２が第一支持部材１０１１を圧迫し、それにより、銃身１０１内の空間を調整することができる。調整片１０３が最も低い位置まで下に移動した場合は、第一支持部材１０１１に係合する玩具の弾丸の数量が多いため、発射した後、玩具の弾丸の弾道ルートはくっきりとなる。反対に、調整片１０３が最も高い位置まで上に移動した場合、第一支持部材１０１１に係合する玩具の弾丸の数量は少なくなるため、発射した後の玩具の弾丸の弾道ルートはぼやける。このように、上述の構造からなる調整銃身１０１空間を変化させることにより、弾道ルートを変えることができる。
【００１１】
以上の説明は、本考案の好ましい実施例にすぎず、本考案の実用新案登録請求の範囲を制限するものではない。本考案の明細書及び図面に基づいて簡単に行える同等の効果をもつ構造の変化は、いずれも本考案の実用新案登録請求の範囲内であるものとする。
【００１２】
全ての図を参照する。本考案を使用すると、従来の技術に比べて以下の利点がある。
【００１３】
操作者が調整部材１０６を回転させ緩衝部材１０５及び調整バー１０４を連動させることにより、調整片１０３が上下に移動して、銃身１０１内の空間を変えることができ、それにより、弾道のルートを変えることができる。
【符号の説明】
【００１４】
１          銃本体
１０        銃身モジュール
１１        スライド孔
１０１      銃身
１０１０    第一孔部
１０１１    第一支持部材
１０２      本体
１０２０    第二孔部
１０２１    第二支持部材
１０２１２  プッシュ部材
１０２１３  弾性部材
１０３      調整片
１０４      調整バー
１０５      緩衝部材
１０６      調整部材
１１        スライド孔
２０        弾倉装置
【図１】
0003174502.tif 000003
【図２】
0003174502.tif 000004
【図３】
0003174502.tif 000005
【図４】
0003174502.tif 000006
【図５】
0003174502.tif 000007
【図６】
0003174502.tif 000008